(57)【特許請求の範囲】
【請求項１】
板状平面光源、及び、板状結像部材を含み、かつ、照射対象面Ｃに光を照射する最大厚みＴBMAXが５０ｍｍ以下の板状結像光学系面光源であって、
該板状平面光源が、平面状光放射体、及び、該平面状光放射体から放射された放射光を出射光として出射する平面状出射面Ａを含み、
該平面状光放射体の平面状放射面が面内輝度均一性を有し、
該板状結像部材が、該出射光を受光可能であり、かつ、該受光した光を照射光として該照射すると共に、該平面状出射面Ａの少なくとも一方向を該照射対象面Ｃに結像する平面状照射面Ｂを含み、さらに、
該平面状照射面Ｂの面積ＳBが、該平面状出射面Ａの面積ＳAの１倍以上、１．５倍以下であり、かつ、該照射対称面Ｃが、該面内輝度均一性が反映された照度均一性を有することを特徴とする板状結像光学系面光源。
【請求項２】
前記平面状光放射体が、有機ＥＬパネルである、請求項１に記載の板状結像光学系面光源。
【請求項３】
前記板状平面光源が、前記平面状出射面Ａを有する板状集光部材を含み、かつ、
前記平面状光放射体が、前記放射する平面状放射面Ｄを含み、さらに、
前記面積ＳAが、該平面状放射面Ｄの面積ＳDの１倍以上、１．５倍以下であり、かつ、
前記板状平面光源の最大厚みＴAMAXが、４５ｍｍ以下であることを特徴とする請求項１又は２に記載の板状結像光学系面光源。
【請求項４】
前記平面状放射面Ｄの前記一方向が、実像または虚像として、該平面状出射面Ａに結像されることを特徴とする請求項１〜３のいずれかに記載の板状結像光学系面光源。
【請求項５】
前記板状結像部材が、結像素子として、前記平面状出射面Ａと平行な主面、及び焦点ｆを有する、凸レンズ又はフレネルレンズを含むことを特徴とする請求項１〜４のいずれかに記載の板状結像光学系面光源。
【請求項６】
前記平面状放射面Ｄが、その前記一方向（Ｙ方向）の長さＬYが、その前記一方向と直角な他方向（Ｘ方向）の長さＬXより短い、横長長方形であり、かつ、
前記結像素子の主面が、前記平面状放射面Ｄと平行であることを特徴とする請求項５に記載の板状結像光学系面光源。
【請求項７】
前記平面状出射面Ａ内の点ａから前記結像素子の主面上に下ろした垂線の足を点ｂとしたときに、前記面積ＳAの８０％以上に相当する点ａに対応する点ｂが、前記主面において、前記主面上の主点を通る水平線で分割される上下の面の片方の面に偏って存在することを特徴とする請求項５又は６に記載の板状結像光学系面光源。
【請求項８】
前記板状集光部材が、集光素子として、プリズムシート又はレンチキュラーレンズを含む請求項３〜７のいずれかに記載の板状結像光学系面光源。
【請求項９】
前記プリズムシート又はレンチキュラーレンズが、前記一方向と直角な他方向（Ｘ方向）に伸び、かつ、前記照射対象面Ｃに向かう凸部を有する三角形又は半円形の断面を有することを特徴とする請求項８に記載の板状結像光学系面光源。
【請求項１０】
請求項５〜９のいずれかに記載の板状結像光学系面光源を用いた結像光学系照明システムであって、
前記平面状出射面Ａと前記平面状照射面Ｂとの間隔をＤAB、前記平面状照射面Ｂと前記照射対象面Ｃとの間隔をＤBCとしたときに、下記（数式１）を満たすことを特徴とする照明システム。
【数３】
0006527737.tif 000005
【請求項１１】
請求項１〜９のいずれかに記載の板状結像光学系面光源を備える展示箱。
【発明の詳細な説明】
【技術分野】
【０００１】
本発明は、板状結像光学系面光源並びにこれを用いた展示箱及び結像光学系照明システムに関し、特に、その光源に含まれる平面状光放射体が、その平面状放射面の面内輝度均一性に優れる光放射体、例えば有機ＥＬパネル、である光源、展示箱およびシステムに関する。
【背景技術】
【０００２】
近年、白熱灯や蛍光灯に変わる照明光源として有機ＥＬ光源が注目され、多くの研究がなされている。また、テレビに代表されるディスプレイ部材においても液晶方式やプラズマ方式に変わる方式として有機ＥＬ方式が注目されている。
【０００３】
ここで有機ＥＬ光源は、ガラス基板や透明樹脂フィルム等の基材に、有機ＥＬ素子を積層したものである。また、有機ＥＬ素子は、一方又は双方が透光性を有する２つの電極を対向させ、この電極の間に有機化合物からなる発光層を含む機能層を積層したものである。有機ＥＬ素子は、発光層内で電子と正孔とが再結合することにより発光する。有機ＥＬ光源は、自発光デバイスであるため、ディスプレイ材料として使用すると高コントラストの画像を得ることができる。また、発光層の材料を適宜選択することにより、種々の波長の光を発光することができる。さらに、白熱灯や蛍光灯に比べて厚さが極めて薄く、且つ、面上に発光するので、設置場所の制約が少ない。
【０００４】
有機ＥＬ光源の代表的な層構成は、ボトムエミッション型と称される構成であり、一般に、透光性のガラス基板に、透明電極層と、機能層と、裏面電極層が積層され、これらが封止部によって封止されたものであり、発光層で発光した光がガラス基板を介して放射される構造である。以下、本明細書においてボトムエミッション型の有機ＥＬ光源パネルのことをＢＥＰと省略して記載することとする。ここで、機能層は、複数の有機化合物を含む薄膜が積層されたものである。代表的な機能層の構成は、正孔注入層、正孔輸送層、発光層、電子輸送層、電子注入層、ブロック層、電荷発生層等を含む構成であり、この中で、発光に寄与する発光層が必須の構成である。このような層構成の中で、対向する電極層及びこれに挟持された機能層について、これらの層の重畳部分の両電極層を含む部分が有機ＥＬ素子であり、両電極層間への電圧の印加により、発光層が発光する。
【０００５】
このような有機ＥＬ光源の応用製品として、例えば、特許文献１は、必要な光量を得ることが可能なラインヘッドモジュールを開示している。この特許文献１のラインヘッドモジュールは、有機ＥＬ素子を主走査方向ｘに整列配置したラインヘッドと、有機ＥＬ素子からの出射光を主走査方向ｘについて略平行化する第１光学手段と、第１光学手段からの出射光を副走査方向ｙについて集光する第２光学手段とが、順に密着して配置されている。そして、有機ＥＬ素子の発光面は、主走査方向ｘの長さより副走査方向ｙの長さの方が長くなっており、例えば、第１光学手段はプリズムシートであり、第２光学手段はシリンドリカルレンズである。
【先行技術文献】
【特許文献】
【０００６】
【特許文献１】特開２００６−２６３９３２号公報
【発明の概要】
【発明が解決しようとする課題】
【０００７】
特許文献１のラインヘッドモジュールは、有機ＥＬ素子の発光点が精度良く作り込める点を活かしたものであり、例えば、発光点をピクセル状に配列する場合には、発光ダイオード（ＬＥＤ）では、多数の発光点を精度良く配列することは極めて困難である。また、許文献１では、発光素子からの出射光のほとんど全てをスポット照射に利用するため、有機ＥＬ素子からなるラインヘッドと第１及び第２の光学手段とを密着することで結果的に薄いラインヘッドモジュールを実現している。このようにして特許文献１では、発光素子からの出射光を主走査方向ｘについて第１光学手段にて略平行化し、また、スポットの主走査方向ｘ幅を位置精度良く所定値に設定し、さらに、第１光学手段からの出射光を副走査方向ｙについて集光して細いスポット照射することで、スポット光量が確保されたラインヘッドモジュールを実現している。
【０００８】
しかしながら、特許文献１のラインヘッドモジュールは、有機ＥＬ素子が面光源であり、また、その面内の輝度均一性に優れ、さらに、柔らかく高演色性の放射光による高品質の照明が可能な光源であることを活かした応用製品とはなっておらず、有機ＥＬ素子の照明光源としてのポテンシャルの顕在化が待たれる。
【０００９】
一方、ショーウィンドウ等において展示物に照明する場合、一般に、従来光源である白熱灯や蛍光灯が用いられているが、掘り込み照明としたり、スポット照明としたりすることが必要であり、単に光源を設置するだけでは不十分である。即ち、展示物の観察者に光源の光放射面が直接視認されないよう、フードで光源全体を覆ったり、展示室の床面に窪みを設けてそこに光源を設置したりする必要がある。また、このような従来光照明では、展示物面内での照度分布が、光源の輝度分布や、光源からの距離に応じて変化してしまい、展示物を美しく照明するには、相当の経験や技術を要するものと考えられる。
【００１０】
このような状況の下、有機ＥＬ素子の照明光源としてのポテンシャル顕在化を目指し、新たなコンセプトに基づき為された本発明は、高照度均一性の照射対象面を有し、また、照射対象面に比べて小さい光放射面を有し、さらに、その全体の厚みが薄い光源の提供を目的とする。
【課題を解決するための手段】
【００１１】
上述の状況に鑑み、本発明者は、適切に作製された有機ＥＬ素子が優れた面内輝度均一性を有することに着目し、この輝度均一性を照射対象面の照度均一性に反映させることを試みた。即ち、有機ＥＬ素子を含む有機ＥＬパネルに代表される平面状光放射体であって、高面内輝度均一性を有する平面状放射面を有する平面状光放射体の平面状放射面を、全体の厚みを一定限度内に抑えつつ、照射対象面に結像することで、高い照度均一性有する板状結像光学系面光源を実現できるのではないかと考えた。また、このようにして実現した板状結像光学系面光源は、その平面状光放射体として有機ＥＬパネルを用いることにより、有機ＥＬ素子の自然光に近い柔らかい光で照明可能な光源とすることができる。
【００１２】
このような考えのもと導き出された本発明は、板状平面光源、及び、板状結像部材を含
み、かつ、照射対象面Ｃに光を照射する最大厚みＴBMAXが５０ｍｍ以下の板状結像光
学系面光源であって、
該板状平面光源が、平面状光放射体、及び、該平面状光放射体から放射された放射光を
出射光として出射する平面状出射面Ａを含み
該平面状光放射体の平面状放射面が面内輝度均一性を有し、
該板状結像部材が、該出射光を受光可能であり、かつ、該受光した光を照射光として該
照射すると共に、該平面状出射面Ａの少なくとも一方向を該照射対象面Ｃに結像する平面
状照射面Ｂを含み、さらに、
該平面状照射面Ｂの面積ＳBが、該平面状出射面Ａの面積ＳAの１倍以上、１．５倍以
下であり、かつ、該照射対称面Ｃが、該面内輝度均一性が反映された照度均一性を有することを特徴とする板状結像光学系面光源に関する。
【００１３】
参考のため図１に概要を示す。即ち、図１は、本発明の一実施形態における板状結像光学系面光源１を説明する、光源１の断面構成図を含み、これと照射対象面Ｃとの関係を示し、本発明における結像関係を点線で示す説明図である。図１においては、板状平面光源２、平面状光放射体２０、平面状放射面Ｄ２０１、平面状出射面Ａ２１、板状結像部材３、平面状照射面Ｂ３１、照射対象面Ｃ４である。
【００１４】
このような本発明の板状結像光学系面光源は、その平面状光放射体の平面状放射面の有する優れた面内輝度均一性が反映されることで、照射対象面Ｃが優れた照度均一性を有し、結像光学系光源であっても、薄く、かつ、照射対象面Ｃに比べて小さい面積の光源となる。加えて、照射対象面Ｃの展示物等のみに光照射可能なので、電力ロス、即ち、消費電力が小さい照明となると共に、展示物等を周囲から浮き上がらせ美しく照明することができる。
【００１５】
また、前記平面状光放射体は、有機ＥＬパネルであることが好ましく、自然光に近い柔らかい光で照明可能である。
【００１６】
また、前記板状平面光源は、前記平面状出射面Ａを有する板状集光部材を含むことが好ましく、かつ、前記平面状光放射体は、前記放射する平面状放射面Ｄを含むことが好ましく、さらに、前記面積ＳＡは、該平面状放射面Ｄの面積ＳＤの１倍以上、１．５倍以下であることが好ましく、かつ、
前記板状平面光源の最大厚みＴＡＭＡＸは、４５ｍｍ以下であることが好ましく、平面状出射面Ａにおける出射方向を本発明に係る板状結像部材の方向に揃えることで、照射対象面Ｃでの照度を増大できる。
【００１７】
また、前記平面状放射面Ｄの前記一方向が、実像または虚像として、該平面状出射面Ａに結像されることが好ましく、本発明に係る平面状放射面の有する優れた面内輝度均一性がより正確に照射対象面Ｃに反映されることで、より優れた照度均一性の光源となる。
【００１８】
また、前記板状結像部材は、結像素子として、前記平面状出射面Ａと平行な主面、及び焦点ｆを有する、凸レンズ又はフレネルレンズを含むことが好ましく、現実的かつ安価に本発明の板状結像光学系面光源を実現できる。より好ましくは、フレネルレンズを用いることであり、さらに好ましくは、前記一方向に直角な他方向に平行に分割されたレンズ面を備えるリニアフレネルレンズを用いることである。
【００１９】
参考のため図２に概要を示す。即ち、図２は、本発明の別の一実施形態における板状結像光学系面光源１を説明する、本発明に係る平面状出射面Ａの一方向（紙面上下方向）の本発明に係る照射対象面Ｃへの結像を説明する、本発明に係る結像素子での結像作図を直線で含み、本発明に係る結像素子を等価レンズ（一点鎖線）とレンズ機能とで表した、説明図である。図２においては、平面状光放射体２０、平面状出射面Ａ２１、板状結像部材３、平面状照射面Ｂ３１、結像素子３２、照射対象面Ｃ４である。
【００２０】
また、前記平面状放射面Ｄを、その前記一方向（Ｙ方向）の長さＬＹが、その前記一方向と直角な他方向（Ｘ方向）の長さＬＸより短い、横長長方形とすることが好ましく、かつ、
前記結像素子の主面を、前記平面状放射面Ｄと平行とすることが好ましく、横長の展示物を、より少ない光源で。均一かつ美しく照明することができる。
【００２１】
また、前記平面状出射面Ａ内の点ａから前記結像素子の主面上に下ろした垂線の足を点ｂとしたときに、前記面積ＳＡの８０％以上に相当する点ａに対応する点ｂが、前記主面において、前記主面上の主点を通る水平線で分割される上下の面の片方の面に偏って存在するようにすることが好ましく、本発明の光源を展示物に対してオフセットした位置に配置することで、観察者の視界を遮ることなく光源を配置可能である。
【００２２】
また、前記板状集光部材は、集光素子として、プリズムシート又はレンチキュラーレンズを含むことが好ましく、現実的かつ安価に本発明の板状結像光学系面光源を実現できる。より好ましくは、前記プリズムシート又はレンチキュラーレンズは、前記一方向と直角な他方向（Ｘ方向）に伸び、かつ、前記照射対象面Ｃに向かう凸部を有する三角形又は半円形の断面を有する。
【００２３】
参考のため図３に概要を示す。即ち、図３は、本本発明のさらに別の一実施形態における板状結像光学系面光源１の断面概念図である。図３においては、平面状光放射体２０、板状集光部材２２、結像素子３２である。
【００２４】
また本発明は、このような本発明の板状結像光学系面光源を用いた結像光学系照明システムであって、
前記平面状出射面Ａと前記平面状照射面Ｂとの間隔をＤＡＢ、前記平面状照射面Ｂと前記照射対象面Ｃとの間隔をＤＢＣとしたときに、下記（数式１）を満たすことを特徴とする照明システムに関し、このような範囲内において、本発明に係る照度均一性の効果がより効果的に奏させしめることができる。
【００２５】
【数１】
0006527737.tif 000002
【００２６】
またさらに、本発明は、本発明の板状結像光学系面光源を備える展示箱に関する。
【発明の効果】
【００２７】
本発明の光源は、高照度均一性の照射対象面を有し、また、照射対象面に比べて小さい光放射面を有し、さらに、その全体の厚みが薄い板状結像光学系面光源である。
【図面の簡単な説明】
【００２８】
【図１】本発明の一実施形態における板状結像光学系面光源１を説明する、光源１の断面構成図を含み、これと照射対象面Ｃとの関係を示し、本発明における結像関係を点線で示す説明図である。
【図２】本発明の別の一実施形態における板状結像光学系面光源１を説明する、本発明に係る平面状出射面Ａの一方向（紙面上下方向）の本発明に係る照射対象面Ｃへの結像を説明する、本発明に係る結像素子での結像作図を直線で含み、本発明に係る結像素子を等価レンズ（一点鎖線）とレンズ機能とで表した、説明図である。
【図３】本発明のさらに別の一実施形態における板状結像光学系面光源１の断面概念図である。
【図４】図２の板状結像光学系面光源１を用いた結像光学系照明システムの一例を示す概念図である。
【発明を実施するための形態】
【００２９】
以下、図１乃至図３を用いて本発明の実施形態について説明する。なお、本発明は以下に記載の実施形態に限定されるものではなく当業者の技術常識内で種々変更が可能である。
【００３０】
（板状結像光学系面光源１）
本発明の板状結像光学系面光源１は、板状平面光源２、及び板状結像部材３を含み、照射対象面Ｃ４に光を照射する光源であり、その最大厚みＴＢＭＡＸが５０ｍｍ以下と薄いことを一つの特徴としており、そのためには、前記板状平面光源２に含まれる平面状光放射体２０を有機ＥＬパネルとすることが好ましい。
【００３１】
本発明の板状結像光学系面光源１の最大の特徴は、本発明に係る板状平面光源２が、前記平面状光放射体２０から放射された放射光を出射光として出射する平面状出射面Ａ２１を有し、この平面状出射面Ａ２１の少なくとも一方向を照射対象面Ｃ４に結像する平面状照射面Ｂ３１を、前記板状結像部材３が有することである。このようにすることで、平面状出射面Ａ２１の輝度分布を、照射対象面Ｃ４の照度分布として再現することができ、平面状出射面Ａ２１の輝度分布を均一化することで、照射対象面Ｃ４の照度分布を均一化できる。平面状出射面Ａ２１の輝度分布を均一化するためには、前記平面状光放射体２０の平面状放射面Ｄ２０１の輝度分布を均一にすることが重要であり、その観点から、前記平面状光放射体２０を有機ＥＬパネルとすることが好ましい。
【００３２】
このような本発明の板状結像光学系面光源１は、例えば、ショーウィンドウ等において展示物に照明する場合等、展示物を展示するための照明として好適であり、掘り込み照明としたり、スポット照明としたりすることが不要であり、かつ、展示物面内での照度分布が小さいので、再現性良く美しく展示することができる。
【００３３】
（板状平面光源２）
本発明に係る板状平面光源２は、平面状光放射体２０、及び平面状出射面Ａ２１を含み、その最大厚みＴＡＭＡＸが４５ｍｍ以下と薄いことを一つの特徴としており、そのためには、前記平面状光放射体２０を有機ＥＬパネルとすることが好ましい。部材点数を少なくする観点からは、平面状光放射体（有機ＥＬパネル）２０の平面状放射面Ｄ２０１を、前記平面状出射面Ａ２１とすることもできる。しかし、平面状光放射体（有機ＥＬパネル）２０から放出される光を集光することで、照射対象面Ｃ４に照射される光量、即ち、照射対象面Ｃ４での輝度を向上せしめる観点、及び、前記平面状放射面Ｄ２０１の前記一方向を、実像または虚像として、該平面状出射面Ａ２１に結像せしめることで、本発明に係る照度均一性をより向上させる観点からは、本発明に係る板状平面光源２は、平面状放射面Ｄ２０１と、前記平面状放射面Ｄ２０１との間に、本発明に係る板状集光部材２２を含むことが好ましい。
【００３４】
本発明に係る板状平面光源２が、本発明に係る板状集光部材２２を含む場合において、本発明に係る平面状出射面Ａ２１の面積ＳＡは、前記平面状放射面Ｄ２０１の面積ＳＤの１倍以上、１．５倍以下であることが、本発明に係る平面状光放射体（有機ＥＬパネル）２０から放射される光を有効に活用することで照射対象面Ｃ４の照度を高めつつ、本発明の板状結像光学系面光源１をコンパクトな光源とする観点から好ましい。
【００３５】
（平面状光放射体（有機ＥＬパネル）２０）
本発明に係る平面状光放射体２は、平面状放射面Ｄ２０１から光を放射する平面状の光放射体であれば、従来光源やＬＥＤ光源に拡散板等を付属させた光放射体を使用できるが、上述の理由から、当該放射面の輝度分布が小さいものであることが好ましく、より好ましくは有機ＥＬパネルである。
【００３６】
前記平面状放射面Ｄ２０１は、その一方向の長さが、その一方向と直角な他方向の長さより短い横長長方形であることが、複数の光源を用いず横長の展示物を美しく照明できるという本発明の効果、即ち、横長展示物一光源照明効果を効果的に奏さしめる観点から好ましい。より好ましくは、その前記一方向（Ｙ方向）の長さＬＹが、当該一方向と直角な他方向（Ｘ方向）の長さＬＸより短い平面状放射面Ｄ２０１とすることであり、従って、このような平面状放射面Ｄ２０１を含む、本発明に係る平面状光放射体（有機ＥＬパネル）２０、又は本発明に係る板状平面光源２、あるいは、本発明の板状結像光学系面光源１も、横長長方形であることが好ましい。
【００３７】
（有機ＥＬパネル２０）
本発明に係る有機ＥＬパネル２０としては、上述のボトムエミッション型のパネル（ＢＥＰ）以外にも、トップエミッション型のパネル（ＴＥＰ）も使用することができる。
【００３８】
ＢＥＰとしては、例えば、ガラス基板上に、順に、透光性の第１電極層、少なくとも有機化合物を含む発光層、および第２電極層を積層することで、有機ＥＬ発光素子層として形成された有機ＥＬ発光素子を含むものが例示される。好ましくは、有機ＥＬ発光素子への水分の浸入を防止するために、有機ＥＬ発光素子層と接して無機封止層が形成される。
【００３９】
このような有機ＥＬパネル２０は、例えば、その有機ＥＬ発光素子層に複数の発光層を設けることで可視域に複数のブロードピークを有するスペクトルの発光が可能であり、高演色性の光源とすることで、展示物を自然光による照明に近い美しい色彩に見えるように照明できる。このような観点から、本発明に係る有機ＥＬタイルの有機ＥＬ発光素子は白色発光素子であることが好ましい。
【００４０】
透光性第１電極層は、透明導電性材料からなる層であり、好ましい材質は、金属酸化物であり、その中でも、酸化インジウム錫（ＩＴＯ）、インジウム亜鉛酸化物（ＩＺＯ）、酸化錫（ＳｎＯ２）、及び酸化亜鉛（ＺｎＯ）からなる群から選ばれる１種以上が好ましく、薄膜有機発光層から発生した光を効果的に取り出せる点では、透光性が高いＩＴＯあるいはＩＺＯが好ましく、より好ましくはＩＴＯであり、スパッタ法、又はＣＶＤ法によって成膜されたものであることが好ましい。
【００４１】
有機化合物を含有する発光層は、電極層に挟持された機能層の内の、実際に発光が生じる層であり、複数の発光層を含む有機ＥＬ発光素子層とすることが高効率の白色発光素子とする観点からは好ましい。このような機能層に用いられる材料としては、一般的な有機ＥＬ発光素子に用いられている材料を使用することができ、例えば、低分子系色素材料や、共役系高分子材料などの公知のものが挙げられる。有機化合物のポリマーやオリゴマーを塗布形成したものを用いることもできるが、好ましくは、各層をいずれも真空蒸着法によって成膜したものであり、高性能の発光パネルとすることができる。
【００４２】
また、この機能層は、正孔注入層、正孔輸送層、発光層、電子輸送層、電子注入層などを含む、複数の層からなる積層多層構造であることが一般的である。さらに、これらの機能層を構成する各層は、真空蒸着法やスパッタ法、ＣＶＤ法、ディッピング法、ロールコート法（印刷法）、スピンコート法、バーコート法、スプレー法、ダイコート法、フローコート法など適宜公知の方法を併用して形成することが可能である。
【００４３】
第２電極層は、アルミニウムや銀等の金属薄膜とすることが好ましく、好ましくは、真空蒸着法によって成膜される。
【００４４】
このような有機ＥＬ発光素子に対して外部からの水分の侵入を防ぐために、封止がなされていることが好ましい。
【００４５】
封止方法には、平板のガラス板を凹状に窪みを作った封止ガラスキャップや金属製のキャップで有機ＥＬ発光素子を覆い被すキャップ封止や、有機ＥＬ発光素子上に保護膜を製膜し封止する膜封止などがあるが、有機ＥＬパネル２０の厚みを薄くすることで、本発明の板状結像光学系面光源１を薄くする観点からは、膜封止が好ましい。
【００４６】
膜封止の封止膜は、無機膜でも有機膜でもよいが、好ましくは無機封止層とすることであり、その製法も蒸着やスパッタがあるが、好ましくは、シリコン窒化膜等のシリコン合金層をＣＶＤで製膜することである。このような無機封止層は、有機ＥＬ素子への水分の浸入を防止する観点から１μｍ以上１０μｍ以下の平均層厚みとすることが好ましく、素子側から順に、窒素含有シリコン合金層、酸素含有シリコン合金層の２層からなる無機封止層とすることがより好ましい。両合金層の層厚みは１：２〜２：１の範囲でほぼ同じ厚みとすることが好ましい。
【００４７】
また、固体膜封止の場合、機械的な外力によるキズを防ぐために、ＰＥＴフィルムや鉄板等の保護フィルムを外装層として、接着剤や粘着剤で貼り付けることが好ましく、高信頼性パネルとする観点からは粘着剤を用いて貼り付けることである。
【００４８】
このような粘着剤層平均厚みは、前記無機封止層との関係で、上述の粘着剤の機能を十分に発揮せしめる観点から、無機封止層の平均厚みより厚いことが好ましい。また、粘着剤の材料としては、その粘弾性の観点から、ゴム系、アクリル系、シリコーン系の群から選ばれる一種以上であることが好ましく、その中でも濡れ性に優れるアクリル系が好ましく、その粘弾性が、０℃〜５０℃、及び周波数１Ｈｚにおける測定時、貯蔵弾性率が１０３Ｐａ以上１０６Ｐａ以下、かつ、貯蔵弾性率が貯蔵弾性率測定値の０．０２倍以上、０．２倍以下であることがさらに好ましい。
【００４９】
また、このような有機ＥＬパネル２０は、輝度や色や角度依存性の特性向上ために、そのガラス基板の光射出側、即ち、平面状放射面Ｄ２０１となる面として光散乱性の樹脂層が貼り付けられていることが好ましい。
【００５０】
（板状集光部材２２）
本発明に係る板状集光部材２２は、本発明に係る平面状光放射体２０から放射された放射光を出射光として出射する平面状出射面Ａ２１を有する部材であって、集光素子として、好ましくは、プリズムシート又はレンチキュラーレンズを含み、より好ましくは、本発明に係る一方向と直角な他方向（Ｘ方向）に伸び、かつ、照射対象面Ｃ４に向かう凸部を有する三角形又は半円形の断面を有する。
【００５１】
このような集光素子の材料としては、高集光性を確保する観点から、なるべく高屈折率の材料が好ましく、具体的には屈折率が１．５以上２．５以下でることが好ましく、より好ましくは１．５５以上２．０以下であり、さらに好ましくは１．６０以上１．８以下であり、板状の部材、例えば、樹脂フィルム、として安価に入手可能であるとの観点から、アクリル樹脂やポリエステル樹脂が好ましく、より好ましくはポリエチレンナフタレート（ＰＥＮ）である。
【００５２】
（板状結像部材３）
本発明に係る板状結像部材３は、本発明に係る出射光を受光可能な部材であり、かつ、当該受光した光を照射光として照射する平面状照射面Ｂ３１を有する部材であり、好ましくは、平面状出射面Ａ２１の少なくとも一方向を照射対象面Ｃ４に結像する機能を有し、より好ましくは、結像素子３２として、凸レンズ又はフレネルレンズを含む。
【００５３】
平面状照射面Ｂ３１の面積ＳＢは、前記平面状出射面Ａ２１の面積ＳＡの１倍以上、１．５倍以下であることが、前記平面状出射面Ａ２１から出射される光を有効に活用することで照射対象面Ｃ４の照度を高めつつ、本発明の板状結像光学系面光源１をコンパクトな光源とする観点から好ましい。
【００５４】
（結像素子３２）
このような結像素子３２は、前述したように、好ましくは、凸レンズ又はフレネルレンズを含むが、そのレンズは、本発明の効果を効果的に奏さしめる観点から、本発明に係る平面状出射面Ａと平行な主面、及び焦点ｆを有することが好ましく、また、その主面が、平面状放射面Ｄと平行であることが好ましい。
【００５５】
本発明の板状結像光学系面光源１は、その光の主な照射方向を、その板状の形状の垂線より外れる方向とすること、即ち、照射方向をオフセットすることが可能であることを一つの特徴としている。言い換えれば、本発明の板状結像光学系面光源１は、前記結像素子３２を適切な形状のものとすることにより、本発明に係る平面状出射面Ａ内の点ａから結像素子の主面上に下ろした垂線の足を点ｂとしたときに、前記面積ＳＡの８０％以上に相当する点ａに対応する点ｂが、主面において、主面上の主点を通る水平線で分割される上下の面の片方の面に偏って存在せしめることができる。
【００５６】
このような結像素子３２の材料としては、高集光性を確保する観点から、なるべく高屈折率の材料が好ましく、具体的には屈折率が１．５以上２．５以下でることが好ましく、より好ましくは１．５５以上２．０以下であり、さらに好ましくは１．６０以上１．８以下であり、板状の部材、例えば、樹脂フィルム、として安価に入手可能であるとの観点から、アクリル樹脂やポリエステル樹脂が好ましく、より好ましくはポリエチレンナフタレート（ＰＥＮ）である。
【００５７】
（結像光学系照明システム）
このような本発明の板状結像光学系面光源を用いた結像光学系照明システムにおいては、本発明に係る平面状出射面Ａと本発明に係る平面状照射面Ｂとの間隔をＤＡＢ、平面状照射面Ｂと照射対象面Ｃ４との間隔をＤＢＣとしたときに、下記（数式１）を満たすことが好ましく、本発明の効果を効果的に奏さしめることができる。
【００５８】
【数２】
0006527737.tif 000003
【００５９】
１／ｆ−１／ＤＡＢ）＝１／ＤＢＣとしたときの、ＤＢＣと、ＤＡＢ及びｆとの関係を表１に示す。
【００６０】
【表１】
0006527737.tif 000004
【００６１】
ＤＡＢが小さいほど、ｆを小さくする必要があり、また、これらの値をほぼ一致させる必要があり、そのようにした場合に、広範囲のＤＢＣに対して、適用可能な板状結像光学系面光源１となること、そして、そのようにすることが好ましいことが判る。
【実施例】
【００６２】
図４は、図２の板状結像光学系面光源１を用いた結像光学系照明システムの一例を示す概念図である。
【００６３】
本発明の板状結像光学系面光源１は、図４に示すように、一方の方向に長い矩形、例えば横長長方形の巻物、のような展示物を照明器具として好適であり、この場合、展示箱の観察者側の展示物からオフセットした位置に、その非照射面側である裏面を観察者側に向けて配置されることとなる。
【符号の説明】
【００６４】
１  板状結像光学系面光源
２  板状平面光源
２０  平面状光放射体（有機ＥＬパネル）
２０１平面状放射面Ｄ
２１  平面状出射面Ａ
２２  板状集光部材
３  板状結像部材
３１  平面状照射面Ｂ
３２  結像素子
４  照射対象面Ｃ
【図１】
0006527737.tif 000006
【図２】
0006527737.tif 000007
【図３】
0006527737.tif 000008
【図４】
0006527737.tif 000009